(57)【要約】      （修正有）【課題】リモコン機能終了時に接続先からの電源オフ要求を受けられない場合に、接続先の画面をリモコン機能から抜けないようにする。【解決手段】情報処理装置と無線で接続する手段と、接続先の情報処理装置からカメラモードを変更する手段と、接続先の情報処理装置からの撮影指示を行う手段と、接続先の情報処理装置からの再生指示を行う手段と、接続先の情報処理装置からの電源オフ指示を行う手段と、接続先の情報処理装置からの電源オフ指示に対してエラーを返す手段と、を有する。接続先の情報処理装置からの電源オフを実行した場合に電源オフできる場合は接続先の情報処理装置の表示をトップ画面へ遷移し（Ｓ７０９）、電源オフできない場合は接続先の情報処理装置の表示を遷移させない（Ｓ７０６〜Ｓ７０８）。【選択図】図７
2019087956.tif 000002
【特許請求の範囲】
【請求項１】
情報処理装置と無線で接続する手段と、
接続先の情報処理装置からカメラモードを変更する手段と、
接続先の情報処理装置からの撮影指示を行う手段と、
接続先の情報処理装置からの再生指示を行う手段と、
接続先の情報処理装置からの電源オフ指示を行う手段と、
接続先の情報処理装置からの電源オフ指示に対してエラーを返す手段と、
を有し、
接続先の情報処理装置からの電源オフを実行した場合に
電源オフできる場合は接続先の情報処理装置の表示をリモコン機能画面からトップ画面へ遷移し、
電源オフできない場合は接続先の情報処理装置の表示をリモコン機能画面から遷移させないこと
を特徴とする画像撮影装置。
【請求項２】
電源オフできない場合は接続先の情報処理装置にエラー表示を行うことを特徴とする
請求項１に記載の画像撮影装置。
【請求項３】
情報処理装置と無線で接続する手段と、
接続先の情報処理装置からカメラモードを変更する手段と、
接続先の情報処理装置からの撮影指示を行う手段と、
接続先の情報処理装置からの再生指示を行う手段と、
接続先の情報処理装置からの電源オフ指示を行う手段と、
接続先の情報処理装置からの電源オフ指示に対してエラーを返す手段と、
を有し、
接続先の情報処理装置からの電源オフを実行した場合に
電源オフできる場合は接続先の情報処理装置の表示をリモコン機能画面からトップ画面へ遷移し、
電源オフできない場合は接続先の情報処理装置の表示をリモコン機能画面から遷移させないこと
を特徴とする画像撮影システム。
【請求項４】
電源オフできない場合は接続先の情報処理装置にエラー表示を行うことを特徴とする
請求項１に記載の画像撮影システム。
【発明の詳細な説明】
【技術分野】
【０００１】
本発明は、無線通信を介して他の機器と通信可能な画像撮影装置に関する。
【背景技術】
【０００２】
近年、携帯電話を含むスマートデバイスと無線ＬＡＮ（Ｌｏｃａｌ  Ａｒｅａ  Ｎｅｔｗｏｒｋ）やＢｌｕｅｔｏｏｔｈ（登録商標）を介して接続し、携帯電話から遠隔操作が可能なデジタルカメラが知られてきている。スマートデバイスからデジタルカメラに画像を送信したり、スマートデバイス側からデジタルカメラの撮影を指示したり、スマートデバイスから遠隔操作をすることで可能な機能は複数考えられる。スマートデバイス側からのデジタルカメラの起動、電源ＯＦＦの指示も行うことができる。しかし、デジタルカメラの起動、電源ＯＦＦはデジタルカメラの状態によって不可能な場合も考えられる。
【０００３】
特に電源ＯＦＦは、デジタルカメラの撮影処理が続いていたり、カードの書き込み処理が終わっていなかったなどの理由により不可能な場合もある。例えば、リモート操作での撮影操作を制御するスマートデバイスなどの装置で、撮影装置の撮影状態、エラー情報、カードの残容量、バッテリ残量などの表示を行い、撮影装置の撮影動作に影響を与える情報を確認する技術が知られている（たとえば特許文献１）。
【先行技術文献】
【特許文献】
【０００４】
【特許文献１】特開２００３−３３００８９号公報
【発明の概要】
【発明が解決しようとする課題】
【０００５】
上述の技術の場合、撮影装置の撮影関連の情報はスマートデバイス側に表示されるため撮影の可否の判断は行うことができるが、撮影装置の電源制御に関しては着目されていない。そのため、スマートデバイスから撮影装置の電源ＯＦＦを行おうとした場合、電源ＯＦＦができるタイミングなのかどうかの判断ができない。
【０００６】
また、上述の技術の場合スマートデバイスが撮影装置のリモート操作専用の装置となっているが、スマートデバイス側からできる機能として画像閲覧など撮影機能以外の機能が搭載されている場合はリモート操作の機能を終了する必要がある。また撮影装置側の電源をＯＦＦする場合、電源が正常にＯＦＦできた場合はスマートデバイス側のリモート操作機能を終了してもよい。しかし撮影装置の電源ＯＦＦができなかった場合はスマートデバイス側のリモート操作の機能を終了してしまうと、撮影装置の電源ＯＦＦができなくなってしまう。
【０００７】
そのため、撮影装置側の電源ＯＦＦが正常に行われるかどうかの制御を行う必要がある。また、撮影装置の電源ＯＦＦができなかった場合に再度撮影装置の電源ＯＦＦを行う場合は、スマートデバイス側のリモート操作機能に入りなおす必要がでてくる。そこで撮影装置の電源ＯＦＦができなかった場合に再度撮影装置の電源をＯＦＦするためにユーザ制御のステップ数が増えてしまうという問題が発生する。
【課題を解決するための手段】
【０００８】
本発明の画像撮影装置は、情報処理装置と無線で接続する手段と、接続先の情報処理装置からカメラモードを変更する手段と、接続先の情報処理装置からの撮影指示を行う手段と、接続先の情報処理装置からの再生指示を行う手段と、接続先の情報処理装置からの電源オフ指示を行う手段と、接続先の情報処理装置からの電源オフ指示に対してエラーを返す手段と、を有し、接続先の情報処理装置からの電源オフを実行した場合に電源オフできる場合は接続先の情報処理装置の表示をリモコン機能画面からトップ画面へ遷移し、
電源オフできない場合は接続先の情報処理装置の表示をリモコン機能画面から遷移させないことを特徴としている。
【発明の効果】
【０００９】
本発明によれば、スマートデバイスからの遠隔操作によりカメラ電源をオフできない場合のカメラ電源オフできるまでの操作ステップを減らすことができる。
【図面の簡単な説明】
【００１０】
【図１】第１の実施形態におけるデジタルカメラの構成を示すブロック図。
【図２】第１の実施形態におけるスマートデバイスの構成を示すブロック図。
【図３】第１の実施形態におけるスマートデバイスの表示例。
【図４】第１の実施形態におけるデジタルカメラとスマートデバイスのシーケンス図。
【図５】第１の実施形態におけるデジタルカメラとスマートデバイスのシーケンス図。
【図６】第１の実施形態におけるデジタルカメラとスマートデバイスのシーケンス図。
【図７】第１の実施形態におけるスマートデバイスのフローチャート。
【発明を実施するための形態】
【００１１】
以下に、本発明を実施するための形態について、添付の図面を用いて詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
［第１の実施形態］
＜デジタルカメラ１００の構成＞  図１（ａ）は、本実施形態であるデジタルカメラ１００の構成例を示すブロック図である。なお、ここでは通信装置の一例としてデジタルカメラについて述べる。制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１２】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。
【００１３】
撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体１０７に記録される。
【００１４】
不揮発性メモリ１０３は、電気的に消去・記録可能な不揮発性のメモリであり、制御部１０１で実行される後述のプログラム等が格納される。作業用メモリ１０４は、撮像部１０２で撮像された画像データを一時的に保持するバッファメモリや、表示部１０６の画像表示用メモリ、制御部１０１の作業領域等として使用される。
【００１５】
操作部１０５は、ユーザがデジタルカメラ１００に対する指示をユーザから受け付けるために用いられる。操作部１０５は例えば、ユーザがデジタルカメラ１００の制御部１０１への電力供給を含む主電源のＯＮ／ＯＦＦを指示するための電源ボタンや、撮影を指示するためのレリーズスイッチ、画像データの再生を指示するための再生ボタンを含む。さらに、後述の通信部１１１を介して外部機器との通信を開始するための専用の接続ボタンなどの操作部材を含む。また、後述する表示部１０６に形成されるタッチパネルも操作部１０５に含まれる。
【００１６】
なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００１７】
表示部１０６は、撮影の際のビューファインダー画像の表示、撮影した画像データの表示、対話的な操作のための文字表示などを行う。なお、表示部１０６は必ずしもデジタルカメラ１００が内蔵する必要はない。デジタルカメラ１００は内部又は外部の表示部１０６と接続することができ、表示部１０６の表示を制御する表示制御機能を少なくとも有していればよい。
【００１８】
記録媒体１０７は、撮像部１０２から出力された画像データを記録することができる。記録媒体１０７は、デジタルカメラ１００に着脱可能なよう構成してもよいし、デジタルカメラ１００に内蔵されていてもよい。すなわち、デジタルカメラ１００は少なくとも記録媒体１０７にアクセスする手段を有していればよい。
【００１９】
電源管理部１０８はデジタルカメラ１００が動作するための電力を供給するためのユニットである。電源管理部１０８はデジタルカメラ１００全体に電力を供給するほかに、後述する副制御部１１６・近距離無線通信部１１２に限定して電力を供給することができる。以後、デジタルカメラ１００全体に電力が供給されている状態を電源ＯＮ状態、副制御部１１６・近距離無線通信部１１２に限定して電力を供給している状態をスタンバイ状態、デジタルカメラ１００全体へ電力供給が断たれている状態を電源ＯＦＦ状態と呼称する。スタンバイ状態では、デジタルカメラ１００は消費電力が極めて低い状態に保つことができる。
【００２０】
通信部１１１は、外部装置と接続するためのインターフェースである。本実施形態のデジタルカメラ１００は、通信部１１１を介して、外部装置とデータのやりとりを行うことができる。例えば、撮像部１０２で生成した画像データを、通信部１１１を介して外部装置に送信することができる。なお、本実施形態では、通信部１１１は外部装置とＩＥＥＥ８０２．１１の規格に従った、いわゆる無線ＬＡＮで通信するためのインターフェースを含む。制御部１０１は、通信部１１１を制御することで外部装置との無線通信を実現する。
【００２１】
近距離無線通信部１１２は、例えば無線通信のためのアンテナと無線信号を処理するため変復調回路や通信コントローラから構成される。近距離無線通信部１１２は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。本実施形態においてＢｌｕｅｔｏｏｔｈ（登録商標）通信は、低消費電力であるＢｌｕｅｔｏｏｔｈ（登録商標）  Ｌｏｗ  Ｅｎｅｒｇｙのバージョン４．０を採用する。
【００２２】
このＢｌｕｅｔｏｏｔｈ（登録商標）通信は、無線ＬＡＮ通信と比べて通信可能な範囲が狭い（つまり、通信可能な距離が短い）。また、Ｂｌｕｅｔｏｏｔｈ（登録商標）通信は、無線ＬＡＮ通信と比べて通信速度が遅い。その一方で、Ｂｌｕｅｔｏｏｔｈ（登録商標）通信は、無線ＬＡＮ通信と比べて消費電力が少ない。本実施形態のデジタルカメラ１００は、近距離無線通信部１１２を介して、外部装置とデータのやりとりを行うことができる。
【００２３】
例えば外部装置から撮影の命令を受信した場合は撮像部１０２を制御し、撮影動作を行い、無線ＬＡＮ通信によるデータの授受を行うための命令を受信した場合は通信１１１を制御し、無線ＬＡＮ通信を開始する。また近距離無線通信部１１２は前述のスタンバイ状態での動作が可能なため、スタンバイ状態で外部装置からデジタルカメラ電源ＯＮの命令を受信した場合は後述する副制御部１１６を介してデジタルカメラ１００全体の電源供給を開始することが可能である。
【００２４】
副制御部１１６は近距離無線通信部１１２を制御し、外部装置との近距離無線通信を制御する装置である。また前述の通り、副制御部１１６はスタンバイ状態でも動作が可能な構成となっている。外部装置から近距離無線通信部１１２を介してデジタルカメラ１００の電源をＯＮする命令を受信した際には電源管理部１０８を制御し、デジタルカメラ１００全体への電源供給を開始することが可能である。
【００２５】
次に、デジタルカメラ１００の外観について説明する。図１（ｂ）、図１（ｃ）はデジタルカメラ１００の外観の一例を示す図である。レリーズスイッチ１０５ａや再生ボタン１０５ｂ、方向キー１０５ｃ、タッチパネル１０５ｄは、前述の操作部１０５に含まれる操作部材である。また、表示部１０６には、撮像部１０２による撮像の結果得られた画像が表示される。以上がデジタルカメラ１００の説明である。
【００２６】
＜スマートデバイス２００の内部構成について＞  図２は、本実施形態の情報処理装置の一例であるスマートデバイス２００の構成例を示すブロック図である。なお、スマートデバイスとはスマートフォン等の携帯電話やいわゆるタブレットデバイスを含む。なお、ここでは情報処理装置の一例としてスマートデバイスについて述べるが、情報処理装置はこれに限られない。例えば情報処理装置は、無線機能付きのデジタルカメラやプリンタ、テレビ、あるいはパーソナルコンピュータなどであってもよい。
【００２７】
制御部２０１は、入力された信号や、後述のプログラムに従ってスマートデバイス２００の各部を制御する。なお、制御部２０１が装置全体を制御する代わりに、複数のハードウェアが処理を分担することで、装置全体を制御してもよい。撮像部２０２は、撮像部２０２に含まれるレンズで結像された被写体光を電気信号に変換し、ノイズ低減処理などを行い、デジタルデータを画像データとして出力する。撮像した画像データはバッファメモリに蓄えられた後、制御部２０１にて所定の演算を行い、記録媒体２０７に記録される。
【００２８】
不揮発性メモリ２０３は、電気的に消去・記録可能な不揮発性のメモリである。不揮発性メモリ２０３には、制御部２０１が実行する基本的なソフトウェアであるＯＳ（オペレーティングシステム）や、このＯＳと協働して応用的な機能を実現するアプリケーションが記録されている。また、本実施形態では、不揮発性メモリ２０３には、デジタルカメラ１００と通信するためのアプリケーション（以下アプリ）が格納されている。
作業用メモリ２０４は、表示部２０６の画像表示用メモリや、制御部２０１の作業領域等として使用される。
【００２９】
操作部２０５は、スマートデバイス２００に対する指示をユーザから受け付けるために用いられる。操作部２０５は例えば、ユーザがスマートデバイス２００の電源のＯＮ／ＯＦＦを指示するための電源ボタンや、表示部２０６に形成されるタッチパネルなどの操作部材を含む。表示部２０６は、画像データの表示、対話的な操作のための文字表示などを行う。なお、表示部２０６は必ずしもスマートデバイス２００が備える必要はない。スマートデバイス２００は表示部２０６と接続することができ、表示部２０６の表示を制御する表示制御機能を少なくとも有していればよい。
【００３０】
記録媒体２０７は、撮像部２０２から出力された画像データを記録することができる。記録媒体２０７は、スマートデバイス２００に着脱可能なよう構成してもよいし、スマートデバイス２００に内蔵されていてもよい。すなわち、スマートデバイス２００は少なくとも記録媒体２０７にアクセスする手段を有していればよい。通信部２１１は、外部装置と接続するためのインターフェースである。
【００３１】
本実施形態のスマートデバイス２００は、通信部２１１を介して、デジタルカメラ１００とデータのやりとりを行うことができる。本実施形態では、通信部２１１はアンテナであり、制御部２０１は、アンテナを介して、デジタルカメラ１００と接続することができる。なお、デジタルカメラ１００との接続では、直接接続してもよいしアクセスポイントを介して接続してもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、デジタルカメラ１００との通信はこれに限られるものではない。
【００３２】
近距離無線通信部２１２は、例えば無線通信のためのアンテナと無線信号を処理するため変復調回路や通信コントローラから構成される。近距離無線通信部２１２は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った近距離無線通信を実現する。本実施形態においてＢｌｕｅｔｏｏｔｈ（登録商標）通信は、低消費電力であるＢｌｕｅｔｏｏｔｈ（登録商標）  Ｌｏｗ  Ｅｎｅｒｇｙのバージョン４．０（ＢＬＥ）を採用する。
【００３３】
このＢｌｕｅｔｏｏｔｈ（登録商標）通信は、無線ＬＡＮ通信と比べて通信可能な範囲が狭い（つまり、通信可能な距離が短い）。また、Ｂｌｕｅｔｏｏｔｈ（登録商標）通信は、無線ＬＡＮ通信と比べて通信速度が遅い。その一方で、Ｂｌｕｅｔｏｏｔｈ（登録商標）通信は、無線ＬＡＮ通信と比べて消費電力が少ない。
【００３４】
本実施系におけるデジタルカメラ１００との近距離無線通信においては、最初にペアリングと呼ばれる近距離無線通信における１：１接続のための操作によってデジタルカメラ１００の近距離無線通信部１１２と接続する必要がある。ペアリング操作においては例えばデジタルカメラ１００がＰｅｒｉｐｈｅｒａｌとなり、近距離無線通信部１１２を用いてＡｄｖｅｒｔｉｓｅと呼ばれる自分の存在を周辺に知らせる動作を行う。そしてスマートデバイス２００がＣｅｎｔｒａｌとして動作し、近距離無線通信部２１２を用いてＳｃａｎ動作を行うことによって、デジタルカメラ１００を発見し、Ｉｎｉｔｉａｔｅ動作によって参加要請を行うことによって近距離無線通信接続を行う。
【００３５】
なお、ペアリングという用語は暗号化をともなうＢｌｕｅｔｏｏｔｈ（登録商標）接続の際に限定して使用されることもあるが、本発明においては暗号化の有無に関わらず、近距離無線通信を用いた１：１接続のための操作をペアリングと呼ぶ。
【００３６】
公衆網接続部２１３は、公衆無線通信を行う際に用いられるインターフェースである。スマートデバイス２００は、公衆網接続部２１３を介して、他の機器と通話することができる。この際、制御部２０１はマイク２１４およびスピーカ２１５を介して音声信号の入力と出力を行うことで、通話を実現する。本実施形態では、公衆網接続部２１３はアンテナであり、制御部２０１は、アンテナを介して、公衆網に接続することができる。なお、接続部２１１および公衆網接続部２１３は、一つのアンテナで兼用することも可能である。
【００３７】
次に、スマートデバイス２００の外観について説明する。図２（ｂ）はスマートデバイス２００の外観の一例を示す図である。電源ボタン２０５ａやホームボタン２０５ｂ、タッチパネル２０５ｃは、前述の操作部２０５に含まれる操作部材である。ホームボタン２０５ｂはユーザが押下することで実行中のアプリケーションを中断し、表示部２０６へ他のアプリケーションを選択できるホーム画面を表示することができる。
【００３８】
以上がスマートデバイス２００の説明である。以降、図３から図７を用いてスマートデバイス２００からデジタルカメラ１００をＬｏｗ  Ｅｎｅｒｇｙのバージョン４．０（ＢＬＥ）で遠隔操作し、各機能を動作させるまでの流れを説明する。Ｌｏｗ  Ｅｎｅｒｇｙのバージョン４．０をＢＬＥと記載する。スマートデバイス２００によってデジタルカメラ１００を遠隔操作して行うことのできる機能として、ＢＬＥからの無線ＬＡＮ接続によるカメラ内の画像取得（以降ハンドオーバーと呼ぶ）、リモコン（撮影／再生）などがある。ハンドオーバーはデジタルカメラ１００をスマートデバイス２００の操作のみで無線ＬＡＮ接続し、デジタルカメラ１００内の画像をスマートデバイス２００に取り込む機能である。
【００３９】
リモコン（撮影／再生）は、スマートデバイス２００側からカメラの操作をコントロールし、それぞれ撮影機能、再生機能を操作することができる。リモコン機能実行中にスマートデバイス２００側からカメラのモードを切り替えることができる。デジタルカメラ１００には撮影モードと再生モードがある。画像を撮影する際はカメラのモードは撮影モードになり、再生する際は再生モードとして動作する。撮影モード時のリモコンを撮影リモコン、再生モード時のリモコンを再生リモコンと呼ぶ。
【００４０】
リモコンはリモコン機能開始時にデジタルカメラ１００の電源をＯＮする機能、リモコン機能を終了時にデジタルカメラ１００の電源をＯＦＦする機能を有している。デジタルカメラ１００がスタンバイ状態のときにスマートデバイス２００からリモコン機能を開始すると、デジタルカメラ１００の電源をＯＮしたのちにリモコン機能を開始することができる。また、リモコン機能終了時はデジタルカメラ１００の電源をＯＦＦするかどうかの選択が可能となる。
【００４１】
デジタルカメラ１００の電源をＯＦＦする際、デジタルカメラ１００のボタン操作が行われていたり、メモリカードの書き込み処理が行われているときなど、デジタルカメラ１００の電源をＯＦＦできない場合がある。
【００４２】
図３（ａ）はスマートデバイス２００の画面例である。スマートデバイス２００の画面からハンドオーバー、リモコンを選択し、デジタルカメラ１００の機能を切り替えることができる。図３（ａ）の「ハンドオーバー」を選択した場合はＢＬＥ接続から無線ＬＡＮの通信に切り替えることにより、デジタルカメラ１００からスマートデバイス２００へ画像の転送を行うことができる。
【００４３】
図３（ａ）の「リモコン」を選択した場合は、デジタルカメラ１００のモードに合わせたリモコン機能を実行することができ、スマートデバイス２００からデジタルカメラ１００を遠隔操作することができる。図３（ａ）の「ハンドオーバー」「リモコン」を選択したときに、デジタルカメラ１００がスタンバイ状態の場合はデジタルカメラ１００の電源がＯＮされる。
【００４４】
図３（ｂ）はスマートデバイス２００の撮影リモコン時の画面例である。ここで例に挙げている撮影リモコン機能はスマートデバイス２００側からの撮影の設定変更は行わせない。撮影のための諸々の設定はデジタルカメラ１００の本体操作で行い、スマートデバイス２００からは主に静止画、動画の撮影指示をあたえるだけである。もちろん、スマートデバイス２００からデジタルカメラ１００の設定を変更できるようにすることも可能である。
【００４５】
図３（ｃ）はスマートデバイス２００の再生リモコン時の画面例である。ここで例に挙げている再生リモコンでは、デジタルカメラ１００側で行うことができる画像再生の機能をスマートデバイス２００側で実行することができる。再生リモコンの機能は、画像送り、画像の拡大縮小表示、マルチ再生、動画再生などである。
【００４６】
デジタルカメラ１００は、メニューから画像の保護、削除、トリミングなどの編集機能を備えている。ここではデジタルカメラ１００のメニューから行う編集機能はスマートデバイス２００側から行うことを考慮していない。しかしスマートデバイス２００にデジタルカメラ１００で操作可能なボタンを表示することで、スマートデバイス２００側からすべての再生機能を実行することも可能である。
【００４７】
図３（ｂ）の撮影リモコン、図３（ｃ）の再生リモコンともに、カメラモードを切り替えるボタンを持ち、デジタルカメラ１００のカメラモードをスマートデバイス２００側から切り替えることができる。また、切り替え後のカメラモードに合わせたリモコン画面の表示をスマートデバイス２００側で表示することができる。
【００４８】
図３（ｂ）（ｃ）の左上のボタンを押すとリモコン機能を終了できる。リモコン機能の終了を選択したときには図３（ｄ）のようなカメラ電源をＯＦＦするかどうかの確認画面を表示する。ここで「はい」を選択したときはカメラ電源をＯＦＦする処理が行われる。カメラ電源を正常にＯＦＦできた場合は、スマートデバイスの表示は図（ａ）のようなトップ画面に戻り、カメラ電源のＯＦＦができない状況だった場合は図３（ｅ）のような警告画面を表示する。
【００４９】
図４はリモコン機能終了時にカメラ電源ＯＦＦが可能な場合のシーケンス図である。スマートデバイス２００とカメラ１００はあらかじめＢＬＥによって通信が確立されてリモコン機能を開始した状態であるとする。
【００５０】
Ｓ４０１でユーザがリモコン機能の終了を選択し、Ｓ４０２でカメラ電源のＯＦＦを選択する。Ｓ４０３でスマートデバイス２００からカメラ１００へ電源ＯＦＦをともなうリモコン機能の終了要求を通知する。カメラ１００は電源ＯＦＦ可能かどうかの判定を行い（Ｓ４０４）、Ｓ４０５でカメラ電源ＯＦＦ可能かどうかの判定をスマートデバイス２００へ通知する。カメラ電源ＯＦＦが可能な場合、スマートデバイス２００はリモコン機能を終了し、トップ画面へ遷移する（Ｓ４０６）。
【００５１】
図５はリモコン機能終了時にカメラ電源ＯＦＦが不可能な場合のシーケンス図である。スマートデバイス２００とカメラ１００はあらかじめＢＬＥによって通信が確立されてリモコン機能を開始した状態であるとする。
【００５２】
Ｓ５０１でユーザがリモコン機能の終了を選択し、Ｓ５０２でカメラ電源のＯＦＦを選択する。Ｓ５０３でスマートデバイス２００からカメラ１００へ電源ＯＦＦをともなうリモコン機能の終了要求を通知する。カメラ１００は電源ＯＦＦ可能かどうかの判定を行い（Ｓ５０４）、Ｓ５０５でカメラ電源ＯＦＦ可能かどうかの判定をスマートデバイスへ通知する。カメラ電源ＯＦＦが不可能な場合、スマートデバイス２００はカメラ電源ＯＦＦができない旨の警告画面を表示（Ｓ５０６）し、警告画面が非表示になったのち再度リモコン機能画面を表示する（Ｓ５０７）。
【００５３】
図６はリモコン機能終了時にカメラ電源をＯＦＦしない場合のシーケンス図である。スマートデバイス２００とカメラ１００はあらかじめＢＬＥによって通信が確立されてリモコン機能を開始した状態であるとする。
【００５４】
Ｓ６０１でユーザはリモコン機能の終了を選択し、Ｓ６０２でカメラ電源のＯＦＦをしないを選択する。Ｓ６０３でスマートデバイス２００からカメラ１００へ電源ＯＦＦをともなわないリモコン機能の終了要求を通知する。カメラ１００はリモコン終了処理を行い、Ｓ６０５でスマートデバイス２００へリモコン終了の通知を行う。スマートデバイス２００はＳ６０５の通知を受けるとリモコン機能を抜けてトップ画面に遷移する（Ｓ６０６）。
【００５５】
次に図７を用いて本実施形態におけるスマートデバイス２００の処理の流れを説明する。
【００５６】
本フローチャートはデジタルカメラ１００の近距離無線通信部１１２とスマートデバイス２００の近距離無線通信部２１２がＢＬＥによって通信可能状態にあることを前提としている。ユーザとスマートデバイス２００のタッチパネル２０５ｃの操作によってデジタルカメラ１００をＢＬＥで制御するためのアプリケーションを起動し、リモコン機能を実行している状態から開始される。
【００５７】
Ｓ７０１でスマートデバイス２００はユーザからリモコン機能の終了の要求を受ける。ユーザはリモコン機能終了時にカメラ電源をＯＦＦするかどうかを指定する。Ｓ７０１でカメラ電源ＯＦＦの要求がなかった場合（Ｓ７０２）は、リモコン機能の終了要求をデジタルカメラ１００へ通知するとともにカメラ電源のＯＮの継続を要求する（Ｓ７０４）。デジタルカメラ１００からリモコン機能終了の通知がきたらスマートデバイス２００はトップ画面に遷移する（Ｓ７０９）。Ｓ７０２でカメラ電源のＯＦＦの要求があった場合、スマートデバイス２００はリモコン機能の終了要求をデジタルカメラ１００へ通知するとともにカメラ電源ＯＦＦの要求通知を行う（Ｓ７０３）。
【００５８】
カメラ電源ＯＦＦの要求を受けてデジタルカメラ１００が電源ＯＦＦ可能かどうかを判定する（Ｓ７０５）。電源ＯＦＦ可能な場合、スマートデバイス１００はリモコン機能を抜けてトップ画面へ遷移する（Ｓ７０９）。
【００５９】
Ｓ７０５でカメラ電源ＯＦＦが不可能な場合は電源ＯＦＦができない旨の警告画面をスマートフォン２００に表示する（Ｓ７０６）。警告画面はユーザの確認が必要なため、ユーザ操作で画面が消えるようにＯＫボタンつきの画面が望ましい。警告画面はＯＫボタンつきのボタンでなくても、タイマーで消える画面でもよい。ＯＫボタンつきの警告画面の場合はＯＫボタン押下で警告画面を消去する（Ｓ７０７）。電源ＯＦＦできない場合はリモコン機能にとどまるため、警告画面を消去したらリモコン画面を表示する（Ｓ７０８）。
【００６０】
カメラ電源ＯＦＦができないパターンとしては、撮影中、カメラボタン操作中、撮影後のファイル書き込み中などの要因があり、ユーザの撮影操作やユーザ操作きっかけの撮影に紐づくものである。そのため、長い時間カメラの電源がＯＦＦできない状態が継続するといったことはなく、再度Ｓ７０１からのシーケンスのとおりにやりなおせばよい。
カメラ電源のＯＦＦができなかった場合はＳ７０８でリモコン機能の画面に戻るため、再度カメラ電源をＯＦＦしたい場合はそのままリモコン終了ボタンを押すことでリモコン終了要求を出せばよい。
【００６１】
以上説明した本実施形態によると、デジタルカメラ１００がスマートデバイス２００から電源ＯＦＦを伴うリモコン終了通知を受けてカメラ電源をＯＦＦできなかった場合でも、ワンステップで再度リモコン終了要求を出すことができる。そのときデジタルカメラ１００の電源ＯＦＦをともなうリモコン機能を終了するためのユーザ操作のステップ数を減らすことができる。
【００６２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。
【００６３】
つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【符号の説明】
【００６４】
１００  デジタルカメラ
１０２  撮像部
１０１  制御部
１０３  不揮発性メモリ
１０４  作業用メモリ
【図１】
2019087956.tif 000003
【図２】
2019087956.tif 000004
【図３】
2019087956.tif 000005
【図４】
2019087956.tif 000006
【図５】
2019087956.tif 000007
【図６】
2019087956.tif 000008
【図７】
2019087956.tif 000009